(57)【特許請求の範囲】
【請求項１】
便器と、使用者の尿を採取する採尿ユニットおよび採取された尿の成分を分析する計測ユニットからなる生体情報測定装置と、収納手段とを備えたトイレ装置において、前記計測ユニットを前記収納手段に人目に触れないように隠蔽して収納したことを特徴とするトイレ装置。
【請求項２】
便器と、使用者の尿を採取する採尿ユニットおよび採取された尿の成分を分析する計測ユニットからなる生体情報測定装置と、収納手段とを備えたトイレ装置において、前記計測ユニットを前記収納手段に収納し、前記収納手段に、開閉可能な扉を備えたことを特徴とするトイレ装置。
【請求項３】
前記採尿ユニットは前記便器に着脱自在に取り付けられるとともに、前記便器から取り外された前記採尿ユニットを前記収納手段に収納可能としたことを特徴とする請求項１または請求項２に記載のトイレ装置。
【請求項４】
前記収納手段の内部上方に、前記採尿ユニットを載置するための載置手段を備えたことを特徴とする請求項３に記載のトイレ装置。
【請求項５】
前記収納手段の内部下方に、前記採尿ユニットから滴下する廃液等を排出するための排出手段を備えたことを特徴とする請求項４に記載のトイレ装置。
【請求項６】
便器と、使用者の尿を採取する採尿ユニットおよび採取された尿の成分を分析する計測ユニットおよび分析結果を表示する表示部を有する表示ユニットからなる生体情報測定装置と、収納手段とを備えたトイレ装置において、前記表示ユニットを前記収納手段に収納するとともに、前記表示部の視認の可否を選択する選択手段を備えたことを特徴とするトイレ装置。
【発明の詳細な説明】
【０００１】
【発明の属する技術分野】
本発明は、生体情報測定装置を備えたトイレ装置に関する。
【０００２】
【従来の技術】
従来、生体情報測定装置として、特開平１１−１３３０２４に示される尿検査装置がある。図４は、この尿検査装置を備えたトイレ装置を示す図であり、以下、その構成を簡単に説明する。図４において、トイレに設置された便器２１のリム上には採尿ユニット２２が取り付けられており、採尿ユニット２２の採尿アーム２３が、便器２１のボウル内を回動して使用者の尿を採取する。採取された尿は、配管２４を通して計測ユニット２５へ送られ、成分が分析される。このように、尿検査装置２６は、採尿ユニット２２と計測ユニット２５から構成されている。また、便器２１には便座２７と便ふた２８が開閉自在に取り付けられており（図４では開状態）、便器２１の背部には、便器２１や尿検査装置２６へ洗浄水を供給する洗浄水タンク２９を備えている。
【０００３】
生体の健康状態を表す指標としては、血圧や体重、体脂肪など種々あるが、食事や運動などの生活習慣やストレス状態をタイムリーに表現する指標として、尿中の糖が注目されている。ここで、上記した尿検査装置２６は、医療機関のみならず家庭のトイレにも取り付け可能なので、家庭において衛生的かつ簡便に尿糖を測定することができ、便利である。
【０００４】
【発明が解決しようとする課題】
しかしながら、上記のような生体情報測定装置を家庭のトイレに設置した場合、例えば客がトイレを使う際にもこの生体情報測定装置を目にすることになるが、客にとって違和感のある躯体がトイレに存在するため、不快感を与えていまうことがある。そればかりか、使用者が「できれば生体情報測定装置で健康状態をチェックしていることを隠したい」と考えていたとしても、客がトイレを使えばその思いも叶わない。また、使用者と同居している家族などにとっても、トイレを使用するたびに使用者の健康状態に思いが及んでしまうことがある。このように、生体情報測定装置がトイレに存在すること自体が、使用者らに精神的な負担を与えてしまうことがあるという問題があった。このため、例えば生活習慣病患者が、生活習慣の管理を行なうために生体情報測定装置を家庭に設置することをためらうこともある。
【０００５】
本発明は、上記課題を解決するためになされたもので、本発明の目的は、生体情報測定装置の使用者らに精神的負担を与えることのないトイレ装置を提供することにある。
【０００６】
【課題を解決するための手段及びその作用・効果】
上記目的を達成するために請求項１は、便器と、使用者の尿を採取する採尿ユニットおよび採取された尿の成分を分析する計測ユニットからなる生体情報測定装置と、収納手段とを備えたトイレ装置において、前記計測ユニットを前記収納手段に人目に触れないように隠蔽して収納した。よって、計測ユニットが客の目に触れることを防ぐことができるとともに、トイレ床部付近の実使用スペースを減らしてトイレの使い勝手を悪化させることもない。
【０００７】
請求項２は、便器と、使用者の尿を採取する採尿ユニットおよび採取された尿の成分を分析する計測ユニットからなる生体情報測定装置と、収納手段とを備えたトイレ装置において、前記計測ユニットを前記収納手段に収納し、前記収納手段に、開閉可能な扉を備えた。よって、扉を閉めれば計測ユニットを完全に隠蔽できる。
【０００８】
請求項３は、請求項１または請求項２に記載のトイレ装置において、前記採尿ユニットは前記便器に着脱自在に取り付けられるとともに、前記便器から取り外された前記採尿ユニットを前記収納手段に収納可能とした。よって、計測ユニットに加え採尿ユニットも収納手段に収納することで、生体情報測定装置を全て隠蔽することができるので、こうすれば例えば客が使用する際には全く普通のトイレに見えるし、同居の家族が使用する際にも使用者の健康状態に思いが及んでしまうこともないため、生体情報測定装置の存在が使用者らに精神的な負担を与えることはない。
【０００９】
請求項４は、請求項３に記載のトイレ装置において、前記収納手段の内部上方に、前記採尿ユニットを載置するための載置手段を備えた。よって、便器から取り外した採尿ユニットを容易にかつ確実に収納手段に収納できる。
【００１０】
請求項５は、請求項４に記載のトイレ装置において、前記収納手段の内部下方に、前記採尿ユニットから滴下する廃液等を排出するための排出手段を備えた。よって、上方の採尿ユニットから滴下する廃液等を排出できるため、使用者は拭き掃除などの処置をする必要がない。
【００１１】
請求項６は、便器と、使用者の尿を採取する採尿ユニットおよび採取された尿の成分を分析する計測ユニットおよび分析結果を表示する表示部を有する表示ユニットからなる生体情報測定装置と、収納手段とを備えたトイレ装置において、前記表示ユニットを前記収納手段に収納するともに、前記表示部の視認の可否を選択する選択手段を備えた。よって、使用者が表示内容を見たいときだけ表示部を見えるようにし、それ以外は見えないようにしておけば、客などは表示部の存在に気付かない。
【００１２】
【発明の実施の形態】
以下、本発明の実施の形態を、図面により詳細に説明する。
【００１３】
図１は、本発明に係るトイレ装置の第一実施例を示す図である。トイレに設置された便器１のリム上には採尿ユニット３が着脱自在に取り付けられており、採尿ユニット３の採尿アーム（図示せず）が、便器１のボウル内を回動して使用者の尿を採取する。採取された尿は、配管４を通して計測ユニット５へ送られ、成分が分析される。このように、生体情報測定装置２は、採尿ユニット３と計測ユニット５から構成されている。また、便器１には便座６と便ふた７が開閉自在に取り付けらている（図１では閉状態）。
【００１４】
便器１の背部にはキャビネット８が設置されており、便器１や生体情報測定装置２へ洗浄水を供給する洗浄水タンク（図示せず）が収納されている。キャビネット８には、掃除用具などのトイレの備品や女性の生理用品、トイレットペーパーなども収納できる。
【００１５】
さらに、この第一実施例においては、キャビネット８の一部に扉９を設けてその内部である収納部１０の下方に計測ユニット５を設置するとともに、収納部１０の上方に係止バー１１を設けて採尿ユニット３を載置可能としている。つまり、生体情報測定装置２を使用しないときには、便器１上の採尿ユニット３を取り外して収納部１０の係止バー１１上に置き、配管４とともに保管することができる。さらに扉９を閉めれば、生体情報測定装置２が完全に隠蔽され、客や同居の家族の目に触れることがないので、生体情報測定装置２の存在が使用者らに精神的な負担を与えることはない。
【００１６】
また、生体情報測定装置２がすべてキャビネット８内に収納されるため、トイレの床部付近の実使用スペースを減らすこともなく、トイレの使い勝手が悪化するということがない。なお、計測ユニット５の上面には表示部１２が配置され、測定結果が表示されるようにしている。使用者は、扉９を開ければ表示部１２を見ることができるが、より操作性を上げるために、測定結果を音読する機能を計測ユニット５に持たせるようにしてもよい。
【００１７】
図２は、図１に示したキャビネット８の収納部１０の断面図であり、採尿ユニット３を便器１から取り外して係止バー１１上に置いた状態を示す図である。採尿ユニット３が便器１に取り付けられている場合は、測定後の廃液などは便器１へ排出される。採尿ユニット３を便器１から取り外して係止バー１１上に置く場合にも、これら廃液や採尿ユニット３に付いた水分などが下方の計測ユニット５に滴下することが考えられる。そこで、図２に示したように、計測ユニット５の上面に排水漏斗１３を設けて滴下した廃液を受け、床下の下水配管１４へ排出するようにしている。このため、計測ユニット５に廃液が付着するなどして故障の原因になることもなく、また、使用者は拭き掃除などの処置をする必要もない。なお、本実施例においては、排水漏斗１３を計測ユニット５の上面に設けたが、これに限らず、排水漏斗を別体としてキャビネット８内に設けて、床下の下水配管１４へ排出するようにしてもよい。
【００１８】
図３は、本発明に係るトイレ装置の第二実施例を示す図である。第一実施例ではキャビネット８が便器の背部に設置されていたのに対し、この第二実施例ではキャビネット１５がトイレの側壁に固定されている。そして、このキャビネット１５には、計測ユニット１６と、計測ユニット１６で計測した測定結果を表示する表示ユニット１７が、それぞれ配置されている。表示ユニット１７は、枢軸１８によって回動可能に構成されており、図示しないラッチを操作することによって表示部１９の視認の可否を選択できる。使用者が表示内容を見たいときだけ表示部１９が見えるようにし、それ以外は見えないようにしておけば、客などは表示部１９の存在に気付かない。
【００１９】
この第二実施例においても、計測ユニット１６がキャビネット１５内に収納されるため、トイレの床部付近の実使用スペースを減らすこともなく、トイレの使い勝手が悪化するということがない。また、キャビネット１５を上下方向に延ばして収納スペースを広くし、第一実施例と同様、採尿ユニット３もキャビネット１５内に収納するようにしてもよい。
【００２０】
以上説明した第一実施例や第二実施例の他、一般に床下収納と呼ばれる床面の収納部を設けて、生体情報測定装置を収納できるようにしてもよい。
【図面の簡単な説明】
【図１】  本発明に係るトイレ装置の第一実施例を示す図
【図２】  図１に示したキャビネット８の収納部１０の断面図
【図３】  本発明に係るトイレ装置の第二実施例を示す図
【図４】  従来の尿検査装置２６を備えたトイレ装置を示す図
【符号の説明】
１…便器
２…生体情報測定装置
３…採尿ユニット
４…配管
５…計測ユニット
６…便座
７…便ふた
８…キャビネット
９…扉
１０…収納部
１１…係止バー
１２…表示部
１３…排水漏斗
１４…下水配管
１５…キャビネット
１６…計測ユニット
１７…表示ユニット
１８…枢軸
１９…表示部
２１…便器
２２…採尿ユニット
２３…採尿アーム
２４…配管
２５…計測ユニット
２６…尿検査装置
２７…便座
２８…便ふた
２９…洗浄水タンク
【図１】
0003849504.tif 000002
【図２】
0003849504.tif 000003
【図３】
0003849504.tif 000004
【図４】
0003849504.tif 000005